(57)【要約】【課題】クライアント側の都合に振られる作業を無くし、契約中はクライアントが自由に表示画像を変更できる電子掲示板管理方法、サーバ、プログラムおよび記録媒体を提供する。【解決手段】電子掲示板２の使用権をクライアントに貸し出す時に、電子掲示板２が表示するための画像データを管理するホストのアカウントをクライアントに与え、クライアントがそこに表示したい画像データを適宜置く。【選択図】　　　　図１
2004070511.tif 000002
【特許請求の範囲】
【請求項１】
電子掲示板の使用権をクライアントに貸し出す時に、電子掲示板へ表示するための画像データを管理するホストのアカウントを前記クライアントに与え、前記クライアントが電子掲示板に表示したい画像データを適宜置くことを特徴とする電子掲示板管理方法。
【請求項２】
前記ホストは、契約期間が切れると自動的に前記アカウントを削除することを特徴とする請求項１記載の電子掲示板管理方法。
【請求項３】
前記ホストは、契約期間が切れると自動的に前記ホスト上の登録画像を消去することを特徴とする請求項１記載の電子掲示板管理方法。
【請求項４】
前記ホストは、登録画像が更新されたタイミングで電子掲示板の描画をしなおすことを特徴とする請求項１記載の電子掲示板管理方法。
【請求項５】
前記ホストは、１つの電子掲示板に対して複数の画像を登録でき、それを一定時間間隔で切り替えて描画することを特徴とする請求項１記載の電子掲示板管理方法。
【請求項６】
前記ホストは、１つの電子掲示板に対して画像を複数登録でき、それぞれを指定した時間で切り替えて描画していくことを特徴とする請求項１記載の電子掲示板管理方法。
【請求項７】
指定した日時に、指定したクライアントが所持するアカウントを削除する手段と、
指定した日時に指定したディレクトリ下のファイルを削除する手段と、
一定時間毎に表示データが更新されたかどうかを監視する手段と、
一定時間毎に表示を更新させる手段を有することを特徴とするサーバ。
【請求項８】
指定した日時に、指定したクライアントが所持するアカウントを削除する処理と、
指定した日時に指定したディレクトリ下のファイルを削除する処理と、
一定時間毎に表示データが更新されたどうかを監視する処理と
一定時間毎に表示を更新させる処理を実行することを特徴とするプログラム。
【請求項９】
指定した日時に、指定したクライアントが所持するアカウントを削除する処理と、
指定した日時に指定したディレクトリ下のファイルを削除する処理と、
一定時間毎に表示データが更新されたかどうかを監視する処理と、
一定時間毎に表示を更新させる処理を実行するプログラムを記録した記録媒体。
【発明の詳細な説明】
【０００１】
【発明の属する技術分野】
本発明の電子掲示板管理方法、サーバ、プログラムおよび記録媒体に関し、特に広告等の目的でディスプレイ上に電子画像を表示する装置を使用者に貸し出す電子掲示板管理方法、サーバ、プログラムおよび記録媒体に関する。
【０００２】
【従来の技術】
従来の公共の場所における広告の手段として、ポスターを印刷し、壁などに貼り付けるという手段が多く使われてきた。それらの掲示物の変更はこれまで人の手により行われ、非常に手間のかかる作業であった。
このような問題を解決するための技術として、特開平９−３２５９９２号公報の「電子広告システム」では、この問題を薄型表示装置とＬＡＮを使用することによって解決している。
【０００３】
【発明が解決しようとする課題】
電子掲示板は、従来の紙のポスターのように張り替えの手間がなく、簡単に表示内容を変更できるため非常に便利である。特にそれがＬＡＮなどのネットワークに接続されている場合、遠隔操作でその差し替えができるので一層便利になる。
そのような電子黒板を不特定多数のクライアントに対して貸し出す場合、通常はクライアントから表示する画像を受け取り、それを表示用の画像データとして設定する必要がある。また、契約途中で表示する画像を変更する場合、変更する画像データをクライアントから受け取りそれを設定し直す必要がある。
本発明は係る問題に鑑みてなされたものであり、上記のようなクライアント側の都合に振られる作業を無くし、契約中はクライアントが自由に表示画像を変更できる方法を提供する。
【０００４】
【課題を解決するための手段】
上記目的を達成するために、請求項１記載の電子掲示板管理方法は、電子掲示板の使用権をクライアントに貸し出す時に、電子掲示板へ表示するための画像データを管理するホストのアカウントをクライアントに与え、クライアントがそこに表示したい画像データを適宜置くことを特徴とする。
【０００５】
請求項２記載の電子掲示板管理方法は、電子掲示板管理方法において、契約期間が切れると自動的にアカウントを削除することを特徴とする。
【０００６】
請求項３記載の電子掲示板管理方法は、電子掲示板管理方法において、契約期間が切れると自動的にホスト上の登録画像を消去することを特徴とする。
【０００７】
請求項４記載の電子掲示板管理方法は、電子掲示板管理方法において、登録画像が更新されたタイミングで電子掲示板の描画をしなおすことを特徴とする。
【０００８】
請求項５記載の電子掲示板管理方法は、電子掲示板管理方法において、１つの電子掲示板に対して複数の画像を登録でき、それを一定時間間隔で切り替えて描画することを特徴とする。
【０００９】
請求項６記載の電子掲示板管理方法は、電子掲示板管理方法において、１つの電子掲示板に対して画像を複数登録でき、それぞれを指定した時間で切り替えて描画することを特徴とする。
【００１０】
請求項７記載のサーバは、指定した日時に指定したアカウントを削除する手段と、指定した日時に指定したディレクトリ下のファイルを削除する手段と、一定時間毎に表示データが更新されたかどうかを監視する手段と、一定時間毎に表示を更新させる手段を有することを特徴とする。
【００１１】
請求項８記載のプログラムは、指定した日時に指定したアカウントを削除する処理と、指定した日時に指定したディレクトリ下のファイルを削除する処理と、一定時間毎に表示データが更新されたどうかを監視する処理と一定時間毎に表示を更新させる処理を実行することを特徴とする。
【００１２】
請求項９記載の記録媒体は、指定した日時に指定したアカウントを削除する処理と、指定した日時に指定したディレクトリ下のファイルを削除する処理と、一定時間毎に表示データが更新されたかどうかを監視する処理と、一定時間毎に表示を更新させる処理を実行するプログラムを記録したことを特徴とする。
【００１３】
【発明の実施の形態】
図１は本発明の電子掲示板管理方法を行うための構成を示した図である。
サーバ１は、電子掲示板に掲示するための画像データを保持する役割を有する。
電子掲示板２は、サーバ１上の画像データを表示する。電子掲示板２がサーバ１上のどの画像データを表示するかは、サーバ１上の画像データの置き場所（ディレクトリ）と画像データファイル名により特定できる。クライアントＰＣ３は、サーバ１に画像データを転送するためにクライアントＰＣ３を使用する。
【００１４】
広告クライアントとの契約が結ばれると、サーバ管理者は契約したクライアントのためのアカウントをサーバ１に追加する。また、貸し出す電子掲示板２用の画像データを置くディレクトリにのみ、クライアントにアクセス権限を与える。それらの設定の後、サーバ管理者は、広告クライアントに以下の情報を通知する。
１．サーバ１へのアクセス方法、サーバ名称、アカウント名称、パスワード等の情報
２．表示画像データの登録方法、ホスト上の表示画像データの登録場所（ディレクトリ）の指定、画像データ名の指定等の情報
広告クライアントは、上記情報を元にサーバ１にアクセス可能なクライアントＰＣ３からサーバ１に対してアクセスを行い、表示画像データをクライアントＰＣ３からサーバ１上の指定ディレクトリに転送する。
【００１５】
サーバ１上に置かれた画像データは、ネットワークを介してその画像データに対応する電子掲示板２に転送されることにより、電子掲示板２上に表示が行われる。
【００１６】
サーバ１は、指定した日時に指定したアカウントを削除する。これは、ホスト上に常駐のプロセス（デーモン）を動作させ、指定時間にアカウント管理用のファイルを編集させることにより簡単に実現できる。
次に動作を説明する。
図２は、指定した日時に指定したアカウントを削除する動作を示したフローチャートである。
契約期間の設定をする（ステップＳ１）。次に契約期間が切れたか否かの判断を行う（ステップＳ２）。契約期間が切れていない場合は（ステップＳ２／ＮＯ）、ステップＳ２の前に戻る。契約期間が切れている場合は（ステップＳ２／ＹＥＳ）、指定したアカウントを削除する（ステップＳ３）。
【００１７】
サーバ１は、指定した日時に指定したディレクトリ下のファイルを削除する。これは、ホスト上に常駐のプロセス（デーモン）を動作させ、指定時間にファイルを消去させることにより簡単に実現できる。
次に動作を説明する。
図３は、指定した日時に指定したディレクトリ下のファイルを削除する動作を説明したフローチャートである。
契約期間の設定をする（ステップＳ４）。次に契約期間が切れたか否かの判断を行う（ステップＳ５）。契約期間が切れていない場合は（ステップＳ５／ＮＯ）、ステップＳ５の前に戻る。契約期間が切れた場合は（ステップＳ５／ＹＥＳ）、ディレクトリ下のファイルを削除する（ステップＳ６）。
【００１８】
サーバ１は、一定時間毎に表示データが更新されたかどうかを監視する。これは、ホスト上に常駐のプロセス（デーモン）を動作させ、一定時間毎に画像データファイルの更新日時をチェックする。前回のチェック時間より新しい画像データファイルがあれば、その画像データに対応する電子掲示板に画像データを転送し、表示を更新する。
次に動作を説明する。
図４は、一定時間毎に表示データが更新されたかどうかを監視する動作を示したフローチャートである。
一定時間毎に画像データファイルの更新日時をチェックする（ステップＳ７）。次にチェック時間より新しい画像データファイルがあるか否かの判断を行う（ステップＳ８）。チェック時間より新しい画像データファイルがない場合は（ステップＳ８／ＮＯ）、ステップＳ８の前に戻る。チェック時間より新しい画像データファイルがある場合は（ステップＳ８／ＹＥＳ）、電子掲示板に画像データを転送し（ステップＳ９）、電子掲示板の画像表示を更新する（ステップＳ１０）。
【００１９】
クライアントは、サーバ１に複数の画像データと、それをどのような順番で報じするかという制御情報を記述したファイルを登録する。下記の表は制御情報を規定のフォーマットで記述したものになる。
【００２０】
【表１】
2004070511.tif 000003
【００２１】
サーバ１上には、一定時間ごとに表示を更新させる仕組みを追加する。これは、ホスト上に常駐のプロセス（デーモン）を動作させることにより簡単に実現できる。デーモンは、現在各電子掲示板２に掲示されている画像データの情報を保持する。一定時間ごとに制御情報を見に行き、現在表示されている画像データの次に当たる画像データを電子掲示板２に送ることにより、画像を更新していくことができる。
【００２２】
クライアントはサーバ１に複数の画像データと、それをどのような順番で、どのくらいの時間表示するかという制御情報を記述したファイルを登録する。下記の表は制御情報を規定のフォーマットで記述したものになる。
【００２３】
【表２】
2004070511.tif 000004
【００２４】
サーバ１上には、指定時間ごとに表示を更新させる仕組みを追加する。これは、ホスト上に常駐のプロセス（デーモン）を動作させることにより簡単に実現できる。デーモンは、現在各電子掲示板に掲示されている画像データの情報とその画像が表示されている時間の情報を保持する。一定時間毎に制御情報を見に行き、現在の画像データが表示されている時間と、指定された表示時間を比較し、前者の方が大きければ、画像データの変更処理を行う。画像データの変更処理は、制御情報から、現在表示中の画像データの次に当たる画像データを電子掲示板に送ることにより、画像を更新する。
【００２５】
【発明の効果】
以上の説明から明らかなように、請求項１記載の発明は、クライアントが表示画像を変更したい時にクライアントが直接操作できるので、サーバ管理者の作業を削減でき、その作業の対応を待つことなく表示に反映できる。
【００２６】
請求項２記載の発明は、契約完了後の不正なサーバへのアクセスを完全に防ぐことができる。
【００２７】
請求項３記載の発明は、契約が完了した後に間違えて表示してしまうことを防ぐことができる。また、サーバの記憶媒体を効率よく運用することができる。
【００２８】
請求項４記載の発明は、更新された画像データをすぐに表示に反映することができる。
【００２９】
請求項５記載の発明は、１つの電子掲示板で複数の画像を表示できるので、電子掲示板の付加価値が増す。
【００３０】
請求項６記載の発明は、１つの電子掲示板で複数の画像を任意の時間で切り替えることができるので、電子掲示板の付加価値が増す。
【００３１】
請求項７記載の発明は、請求項１から６記載の電子掲示板管理方法に適したサーバを提供することができる。
【００３２】
請求項８記載の発明は、請求項１から６記載の電子掲示板管理方法に適したプログラムを提供することができる。
【００３３】
請求項９記載の発明は、請求項１から６記載の電子掲示板管理方法に適した記録媒体を提供することができる。
【図面の簡単な説明】
【図１】本発明の実施形態における電子掲示板管理方法の構成を示した図である。
【図２】本発明の実施形態における指定した時間に指定したアカウントを削除する動作を示したフローチャートである。
【図３】本発明の実施形態における指定した日時に指定したディレクトリ下のファイルを削除する動作を示したフローチャートである。
【図４】本発明の実施形態における一定時間毎に表示データが更新されたかどうかを監視する動作を示したフローチャートである。
【符号の説明】
１　サーバ
２　電子掲示板
３　クライアントＰＣ
【図１】
2004070511.tif 000005
【図２】
2004070511.tif 000006
【図３】
2004070511.tif 000007
【図４】
2004070511.tif 000008